(57)【要約】【課題】背上げ動作時に、使用者の身体が脚側へずれるのを防止することができるとともに、使用者の身体に加わる圧迫力を低減することのできるベッドを提供する。【解決手段】背上げ動作時に、背ボトム１１の背上げ角度が予め設定された小さい角度に到達するまではマットレス６が脚側ＦＳにずれるのを制止し、背ボトムの背上げ角度が予め設定された小さい角度に到達した時点からさらに予め設定された大きい角度に亘りマットレスを頭側ＨＳに移動するようにマットレスの動作制御を行うためのマット制御手段５０を設ける。【選択図】図１
2017000701.tif 000002
【特許請求の範囲】
【請求項１】
ベッドフレームと、このベッドフレームに設けられた背ボトム、座ボトム、膝ボトムおよび脚ボトムを具備するボトムと、このボトムに載置されるマットレスとを有しているとともに、前記背ボトムが電動あるいは手動により駆動する背上げ機構により背上げ動作し、前記膝ボトムが電動あるいは手動により駆動する膝上げ機構により膝上げ動作するベッドであって、
背上げ動作時に、前記背ボトムの背上げ角度が予め設定された小さい角度に到達するまでは前記マットレスが脚側にずれるのを制止し、前記背ボトムの背上げ角度が予め設定された小さい角度に到達した時点からさらに予め設定された大きい角度に亘り前記マットレスを頭側に移動するように前記マットレスの動作制御を行うためのマット制御手段を設けたことを特徴とするベッド。
【請求項２】
前記マット制御手段は、前記背ボトムをその頭側端部が起伏するように前記ベッドフレームに揺動可能に設けられた下側背ボトムと、前記下側背ボトム上に前記ベッドの長手方向に沿って直接あるいは間接にスライド自在に支持された上側背ボトムとに分割するとともに、前記下側背ボトムに対して前記上側背ボトムを頭側に向かって付勢するボトム用付勢手段を有していることを特徴とする請求項１に記載のベッド。
【請求項３】
前記下側背ボトムおよび前記上側背ボトムのうちの一方には、前記ベッドの長手方向に沿って延在するガイド溝が形成されており、他方には、前記ガイド溝に嵌合する張出部が形成されており、
前記下側背ボトムには、マットレスを固定するまでの前記上側背ボトムの移動を阻止するための仮止めフックが設けられており、
前記座ボトムの前記ベッドの長手方向に対して直交する前記ベッドの幅方向の両側端部のそれぞれには、前記マットレスを前記ボトムに取り付けるためのボトム用マット取付具が設けられており、
前記マットレスには、前記ボトム用マット取付具に対応するスライド可能なマット用マット取付具が設けられていることを特徴とする請求項２に記載のベッド。
【請求項４】
前記ボトム用付勢手段は、一端が前記下側背ボトムの頭側に取り付けられ、他端が前記上側背ボトムの脚側に取り付けられた引張応力を具備するボトム用弾性体であることを特徴とする請求項２または請求項３に記載のベッド。
【請求項５】
前記ボトム用弾性体が引張りばねまたは圧縮ばねであることを特徴とする請求項４に記載のベッド。
【請求項６】
前記下側背ボトムに設けられた前記上側背ボトムを直接あるいは間接に支持する支持面と、前記上側背ボトムに設けられた前記下側背ボトムに直接あるいは間接にスライド自在に支持されたスライド面とのそれぞれに、前記ボトム用弾性体を収容するための上下１対の収納凹部が設けられており、
前記ボトム用弾性体の一端は、前記下側背ボトムに設けられた収納凹部の頭側に取り付けられており、他端は、前記上側背ボトムに設けられた収納凹部の脚側に取り付けられている請求項２ないし請求項５のいずれか１項に記載のベッド。
【請求項７】
前記下側背ボトムおよび前記上側背ボトムの少なくとも一方が滑りの良い樹脂により形成されていることを特徴とする請求項２ないし請求項６に記載のベッド。
【請求項８】
前記下側背ボトムの支持面と、前記上側背ボトムのスライド面とのうちの少なくとも一方に、滑りの良い樹脂により形成されたシートあるいはフィルムが貼着されていることまたは前記下側背ボトムの支持面と、前記上側背ボトムのスライド面との双方が滑りの良い樹脂で成形されていることを特徴とする請求項２ないし請求項６のいずれか１項に記載のベッド。
【請求項９】
前記下側背ボトムに設けられた支持面に、前記ボトム用弾性体を収容するための収納部材がその長手方向を前記ベッドの長手方向に向けて設けられており、
前記ボトム用弾性体の一端は、前記収納部材の内部頭側端部に取り付けられた弾性体用固定具の脚側端部に着脱自在に取り付けられており、他端は、前記収納部材の内部脚側端部に前記ベッドの長手方向に沿ってスライド自在に取り付けられた弾性体用スライド固定具の頭側端部に着脱自在に取り付けられており、
前記弾性体用スライド固定具の脚側端部には、後端部が前記上側背ボトムの脚側端部に着脱自在に取り付けられた連結部材の先端部が着脱自在に取り付けられていることを特徴とする請求項２ないし請求項５のいずれか１項に記載のベッド。
【請求項１０】
前記下側背ボトムの支持面と、前記上側背ボトムのスライド面とのうちの少なくとも一方に、前記上側背ボトムを前記下側背ボトム上に前記ベッドの長手方向に沿ってスライド自在に支持するためのスライド支持手段が設けられていることを特徴とする請求項２、請求項３、請求項４、請求項５、請求項９のいずれか１項に記載のベッド。
【請求項１１】
前記スライド支持手段は、前記下側背ボトムの支持面と、前記上側背ボトムのスライド面との間に設けられた隙間に配置されていることを特徴とする請求項９または請求項１０に記載のベッド。
【請求項１２】
前記スライド支持手段は、複数のローラと、これら複数のローラのそれぞれをその軸線方向の両側から回転自在に支持するための１対の支持部材とを有しており、
前記１対の支持部材は、前記下側背ボトムの支持面および前記上側背ボトムのスライド面のうちの一方に、その長手方向を前記ベッドの長手方向に沿って取り付けられており、
前記複数のローラのそれぞれは、その軸線を前記ベッドの長手方向に対して直交する幅方向にし、かつ前記複数のローラのそれぞれの外周面の一部が前記支持部材の前記下側背ボトム側の端部より前記下側背ボトム側に、または前記上側背ボトム側の端部より前記上側背ボトム側に突出するようにして取り付けられており、
前記複数のローラのそれぞれの突出部位は、前記１対の支持部材が前記下側背ボトムの支持面に取り付けられている場合には、前記上側背ボトムのスライド面に当接するように形成されており、前記１対の支持部材が前記上側背ボトムのスライド面に取り付けられている場合には、前記下側背ボトムの支持面に当接するように形成されていることを特徴とする請求項９ないし請求項１１のいずれか１項に記載のベッド。
【請求項１３】
前記マット制御手段は、前記背ボトムに対して前記マットレスを前記ベッドの頭側に向かって付勢するマット用付勢手段を有していることを特徴とする請求項１に記載のベッド。
【請求項１４】
前記マット用付勢手段は、一端が前記マットレスに取り付けられ、他端が前記背ボトムに取り付けられた引張応力を具備するマット用弾性体を有していることを特徴とする請求項１３に記載のベッド。
【請求項１５】
前記マット用弾性体は、一端が前記マットレスの下面に取り付けられるセンター用弾性体および／または一端が前記マットレスの側端部に着脱自在に取り付けられるサイド用弾性体を有していることを特徴とする請求項１４に記載のベッド。
【請求項１６】
前記センター用弾性体は、板状に形成された弾性本体の両端に湾曲可能な帯状体が取り付けられているとともに、一方の帯状体の自由端は、前記マットレスの頭側下面に取り付けられており、他方の帯状体の自由端は、前記背ボトムの下面に設けられた弾性体取付具に着脱可能に取り付けられており、さらに、前記センター用弾性体の長手方向の途中部分は、前記背ボトムの頭側端部に設けられたガイド部材により折り返されるとともに、スライド自在に支持されていることを特徴とする請求項１５に記載のベッド。
【請求項１７】
前記サイド用弾性体は、板状に形成された弾性本体の両端に湾曲可能な帯状体が取り付けられるとともに、一方の帯状体の自由端は、前記背ボトムの側端部頭側に設けられた弾性体取付具に着脱可能に取り付けられており、他方の帯状体の自由端は、前記マットレスの側端部のうちの前記背ボトムの脚側に対応する位置に設けられた弾性体接続具に着脱自在に取り付けられていることを特徴とする請求項１５に記載のベッド。
【請求項１８】
前記背ボトムと前記マットレスとの対向面のうちの少なくとも一方に、滑りの良い樹脂により形成されたシートあるいはフィルムが貼着されていることを特徴とする請求項２ないし請求項１７のいずれか１項に記載のベッド。
【請求項１９】
前記背上げ機構および前記膝上げ機構が電動駆動されるものであり、背上げ動作を自動的に行うための自動背上げスイッチを有するコントローラと、背上げ動作を膝上げ動作に連動させて自動的に行う制御部と、を有していることを特徴とする請求項１ないし請求項１８のいずれか１項に記載のベッド。
【請求項２０】
前記マットレスがエアーマットレスであることを特徴とする請求項１ないし請求項１９のいずれか１項に記載のベッド。
【請求項２１】
前記座ボトムは、その頭側が前記背ボトムに連結される固定座ボトムと、その脚側が前記膝ボトムに連結される可動座ボトムとに分割されているとともに、前記可動座ボトムは、前記固定座ボトムに対して前記ベッドの長手方向に沿ってスライド自在に支持されており、
前記膝ボトムは、その頭側が前記座ボトムの固定座ボトムに屈折自在に連結される固定膝ボトムと、その脚側が前記脚ボトムに屈折自在に連結される可動膝ボトムとに分割されているとともに、前記可動膝ボトムは、前記固定膝ボトムに対して前記ベッドの長手方向に沿ってスライド自在に支持されていることを特徴とする請求項１ないし請求項２０のいずれか１項に記載のベッド。
【請求項２２】
前記可動座ボトムは、前記固定座ボトムに対して入れ子とされており、
前記可動膝ボトムは、前記固定膝ボトムに対して入れ子とされていることを特徴とする請求項２１に記載のベッド。
【発明の詳細な説明】
【技術分野】
【０００１】
本発明は、介護支援などに好適な背上げ機能を備えたベッドに関する。
【背景技術】
【０００２】
従来、自力で座ることや、体位変換（寝返り）などができない高齢者や病人などの使用者の介護に適したベッドがある。このベッドは、マットレスが載置されるボトムがベッドフレームに設けられており、ボトムは、使用者の背の部分に対応する背ボトム、座（腰）の部分に対応する座ボトム、膝（大腿部）の部分に対応する膝ボトムおよび脚の部分に対応する脚ボトムに分割され、それぞれがヒンジなどによって屈折自在に連結されている。さらに、ベッドは、背上げ機能および膝上げ機能を備えており、各ボトムが手動あるいは電動により動作することによって、マットレス上に寝た使用者の背上げ動作および膝上げ動作を行うことがマットレスとしては、使用者に褥瘡が生じるのを防止するなどの理由により、使用者がマットレス上に寝た際に、使用者とマットレスとの接触部分に均一な圧力が加わるエアーマットが用いられることがある。
【先行技術文献】
【特許文献】
【０００３】
【特許文献１】特開平７−１３６２２１号公報
【発明の概要】
【発明が解決しようとする課題】
【０００４】
ところで、従来の背上げ機能および膝上げ機能を備えたベッドにおいて、背上げ動作がなされると、背ボトムの傾斜角度が２０度程度から４５度程度までの範囲に亘り、マットレスとしてのエアーマットが背ボトムに押されて例えば脚側に１０ｃｍ程度ずれてしまい、エアーマット上の使用者の身体もエアーマットとともに脚側に１０ｃｍ程度ずれる。このずれを停止させるため、膝ボトムの傾斜角度が２０度程度となるように膝上げ動作を行うことで、脚側へのずれが若干少なくなるが、使用者の背中や腹部に強い圧迫力が加わり、背ボトムの傾斜角度が４５度を越えると、エアーマットが例えば脚側に７ｃｍ程度ずれてしまい、使用者の肩胛骨部分がエアーマットに食い込みながら起き上がることになるため、ずれと、背中に加わる背圧、腹部に加わる腹圧などの圧迫力とにより、使用者によっては呼吸困難に至る場合があり、使用者への負担が大きく、使用者が容易に適正な座位をとることができないし、ずれと圧迫力により褥瘡の予防にならないという問題点があった。
【０００５】
このような問題点から、背ボトムの傾斜角度が３０度程度までを安全傾斜角度として、背上げ動作時における使用者の負担を少なくしているが、この背ボトムの傾斜角度を３０度程度までとした場合、使用者は寝た状態に近くなり、寝たきりの状態に繋がるという問題点がある。
【０００６】
なお、使用者の心臓機能の低下予防、呼吸機能の低下予防、消化機能の低下予防、筋力の低下予防、認知機能の低下予防、誤嚥性肺炎の予防などの理由により、ベッドには使用者の背上げを行って寝たきりにさせない背上げ機能が不可欠である。
【０００７】
そこで、背上げ動作時に、身体が脚側へずれるのを防止することができるとともに、身体に加わる圧迫力を低減することのできるベッドが求められている。
【０００８】
本発明はこのような点に鑑みてなされたものであり、背上げ動作時に、使用者の身体が脚側へずれるのを防止することができるとともに、使用者の身体に加わる圧迫力を低減することのできるベッドを提供することを目的とする。
【課題を解決するための手段】
【０００９】
前述した目的を達成するため、本発明のベッドの特徴は、ベッドフレームと、このベッドフレームに設けられた背ボトム、座ボトム、膝ボトムおよび脚ボトムを具備するボトムと、このボトムに載置されるマットレスとを有しているとともに、前記背ボトムが電動あるいは手動により駆動する背上げ機構により背上げ動作し、前記膝ボトムが電動あるいは手動により駆動する膝上げ機構により膝上げ動作するベッドであって、背上げ動作時に、前記背ボトムの背上げ角度が予め設定された小さい角度に到達するまでは前記マットレスが脚側にずれるのを制止し、前記背ボトムの背上げ角度が予め設定された小さい角度に到達した時点からさらに予め設定された大きい角度に亘り前記マットレスを頭側に移動するように前記マットレスの動作制御を行うためのマット制御手段を設けた点にある（請求項１）。
【００１０】
そして、このような構成を採用したことにより、マット制御手段は、背上げ動作時に、背ボトムの背上げ角度が予め設定された小さい角度に到達するまではマットレスがベッドの脚側にずれるのを防止することができるので、使用者の身体がベッドの脚側へずれるのを防止することができる。また、マット制御手段は、背ボトムの背上げ角度が予め設定された小さい角度に到達した時点からさらに予め設定された大きい角度に亘りマットレスを頭側に移動できるので、使用者の身体に加わる圧迫力を低減することができる。すなわち、背上げ動作時に、使用者の身体がベッドの脚側にずれるのを防止することができるとともに、使用者の身体に加わる負担を軽減することができる。
【００１１】
また、本発明において、前記マット制御手段は、前記背ボトムをその頭側端部が起伏するように前記ベッドフレームに揺動可能に設けられた下側背ボトムと、前記下側背ボトム上に前記ベッドの長手方向に沿って直接あるいは間接にスライド自在に支持された上側背ボトムとに分割するとともに、前記下側背ボトムに対して前記上側背ボトムを頭側に向かって付勢するボトム用付勢手段を有している構成とすることができる（請求項２）。そして、このような構成を採用したことにより、上側背ボトム、ひいてはマットレスを頭側に確実に付勢することができる。
【００１２】
さらに、本発明において、前記下側背ボトムおよび前記上側背ボトムのうちの一方には、前記ベッドの長手方向に沿って延在するガイド溝が形成されており、他方には、前記ガイド溝に嵌合する張出部が形成されており、前記下側背ボトムには、マットレスを固定するまでの前記上側背ボトムの移動を阻止するための仮止めフックが設けられており、前記座ボトムの前記ベッドの長手方向に対して直交する前記ベッドの幅方向の両側端部のそれぞれには、前記マットレスを前記ボトムに取り付けるためのボトム用マット取付具が設けられており、前記マットレスには、前記ボトム用マット取付具に対応するスライド可能なマット用マット取付具が設けられている構成とすることができる（請求項３）。そして、このような構成を採用したことにより、ガイド溝に張出部を嵌合させるという簡単な構成で、下側背ボトム上でスライド移動する上側背ボトムの移動経路をベッドの長手方向に規制することができる。また、仮止めフックは、ベッドにマットレスを設置する際に、下側背ボトム上でスライド移動する上側背ボトムの移動を阻止することができる。さらに、ボトム用マット取付具およびマット用マット取付具は、ボトムにマットレスを容易に取り付けることができる。
【００１３】
さらにまた、本発明において、前記ボトム用付勢手段は、一端が前記下側背ボトムの頭側に取り付けられ、他端が前記上側背ボトムの脚側に取り付けられた引張応力を具備するボトム用弾性体である構成とすることができる（請求項４）。そして、このような構成を採用したことにより、下側背ボトムに対して上側背ボトムを頭側に向かって付勢する付勢力を容易に得ることができる。
【００１４】
また、本発明において、前記ボトム用弾性体が引張りばねまたは圧縮ばねである構成とすることができる（請求項５）。そして、このような構成を採用したことにより、ボトム用弾性体を簡単な構成とすることができる。
【００１５】
さらに、本発明において、前記下側背ボトムに設けられた前記上側背ボトムを直接あるいは間接に支持する支持面と、前記上側背ボトムに設けられた前記下側背ボトムに直接あるいは間接にスライド自在に支持されたスライド面とのそれぞれに、前記ボトム用弾性体を収容するための上下１対の収納凹部が設けられており、前記ボトム用弾性体の一端は、前記下側背ボトムに設けられた収納凹部の頭側に取り付けられており、他端は、前記上側背ボトムに設けられた収納凹部の脚側に取り付けられている構成とすることができる（請求項６）。そして、このような構成を採用したことにより、背ボトムの内側にボトム用弾性体を配置することができるし、ボトム用弾性体の一端を下側背ボトムの頭側に接続することができるし、ボトム用弾性体の他端を上側背ボトムの脚側に接続することができる。
【００１６】
さらにまた、本発明において、前記下側背ボトムおよび前記上側背ボトムの少なくとも一方が滑りの良い樹脂により形成されている構成とすることができる（請求項７）。そして、このような構成を採用したことにより、下側背ボトムに対して上側背ボトムを滑り易くすることができるので、背上げ動作時に、上側背ボトムのスライド移動を容易かつ円滑にすることができる。
【００１７】
また、本発明において、前記下側背ボトムの支持面と、前記上側背ボトムのスライド面とのうちの少なくとも一方に、滑りの良い樹脂により形成されたシートあるいはフィルムが貼着されていることまたは前記下側背ボトムの支持面と、前記上側背ボトムのスライド面との双方が滑りの良い樹脂で成形されている構成とすることができる（請求項８）。そして、このような構成を採用したことにより、下側背ボトムに対して上側背ボトムを滑り易くすることができるので、背上げ動作時に、上側背ボトムのスライド移動を容易かつ円滑にすることができる。
【００１８】
前記下側背ボトムに設けられた支持面に、前記ボトム用弾性体を収容するための収納部材がその長手方向を前記ベッドの長手方向に向けて設けられており、前記ボトム用弾性体の一端は、前記収納部材の内部頭側端部に取り付けられた弾性体用固定具の脚側端部に着脱自在に取り付けられており、他端は、前記収納部材の内部脚側端部に前記ベッドの長手方向に沿ってスライド自在に取り付けられた弾性体用スライド固定具の頭側端部に着脱自在に取り付けられており、前記弾性体用スライド固定具の脚側端部には、後端部が前記上側背ボトムの脚側端部に着脱自在に取り付けられた連結部材の先端部が着脱自在に取り付けられている構成とすることができる（請求項９）。そして、このような構成を採用したことにより、下側背ボトムと上側背ボトムとの内側にボトム用弾性体を配置することができるし、下側背ボトムに対して上側背ボトムをスライド自在に取り付けることができる。
【００１９】
さらに、本発明において、前記下側背ボトムの支持面と、前記上側背ボトムのスライド面とのうちの少なくとも一方に、前記上側背ボトムを前記下側背ボトム上に前記ベッドの長手方向に沿ってスライド自在に支持するためのスライド支持手段が設けられている構成とすることができる（請求項１０）。そして、このような構成を採用したことにより、下側背ボトムに対して上側背ボトムを円滑にスライド移動させることができる。
【００２０】
さらにまた、本発明において、前記スライド支持手段は、前記下側背ボトムの支持面と、前記上側背ボトムのスライド面との間に設けられた隙間に配置されている構成とすることができる（請求項１１）。そして、このような構成を採用したことにより、下側背ボトムと上側背ボトムとの間にスライド支持手段を容易に配置することができる。
【００２１】
また、本発明において、前記スライド支持手段は、複数のローラと、これら複数のローラのそれぞれをその軸線方向の両側から回転自在に支持するための１対の支持部材とを有しており、前記１対の支持部材は、前記下側背ボトムの支持面および前記上側背ボトムのスライド面のうちの一方に、その長手方向を前記ベッドの長手方向に沿って取り付けられており、前記複数のローラのそれぞれは、その軸線を前記ベッドの長手方向に対して直交する幅方向にし、かつ前記複数の支持部材のそれぞれの外周面の一部が前記支持部材の前記下側背ボトム側の端部より前記下側背ボトム側に、または前記上側背ボトム側の端部より前記上側背ボトム側に突出するようにして取り付けられており、前記複数のローラのそれぞれの突出部位は、前記１対の支持部材が前記下側背ボトムの支持面に取り付けられている場合には、前記上側背ボトムのスライド面に当接するように形成されており、前記１対の支持部材が前記上側背ボトムのスライド面に取り付けられている場合には、前記下側背ボトムの支持面に当接するように形成されている構成とすることができる（請求項１２）。そして、このような構成を採用したことにより、スライド時に複数のローラが回転するので、下側背ボトムに対して上側背ボトムを円滑かつ容易にスライド移動させることができるし、下側背ボトムに対して上側背ボトムをより円滑に支持することができる。
【００２２】
さらに、本発明において、前記マット制御手段は、前記背ボトムに対して前記マットレスを頭側に向かって付勢するマット用付勢手段を有している構成とすることができる（請求項１３）。そして、このような構成を採用したことにより、マットレスを頭側に確実に付勢することができる。
【００２３】
さらにまた、本発明において、前記マット用付勢手段は、一端が前記マットレスに取り付けられ、他端が前記背ボトムに取り付けられた引張応力を具備するマット用弾性体を有している構成とすることができる（請求項１４）。そして、このような構成を採用したことにより、ボトムに対してマットレスを容易に頭側に付勢することができる。
【００２４】
また、本発明において、前記マット用弾性体は、一端が前記マットレスの下面に取り付けられるセンター用弾性体および／または一端が前記マットレスの側端部に着脱自在に取り付けられるサイド用弾性体を有している構成とすることができる（請求項１５）。そして、このような構成を採用したことにより、マットレスを容易かつ確実に頭側に付勢することができる。
【００２５】
さらに、本発明において、前記センター用弾性体は、板状に形成された弾性本体の両端に湾曲可能な帯状体が取り付けられているとともに、一方の帯状体の自由端は、前記マットレスの頭側下面に取り付けられており、他方の帯状体の自由端は、前記背ボトムの下面に設けられた弾性体取付具に着脱可能に取り付けられており、さらに、前記センター用弾性体の長手方向の途中部分は、前記背ボトムの頭側端部に設けられたガイド部材により折り返されるとともに、スライド自在に支持されている構成とすることができる（請求項１６）。そして、このような構成を採用したことにより、マットレスおよび背ボトムに対してマットセンター用弾性体を容易に配設することができる。
【００２６】
さらにまた、本発明において、前記サイド用弾性体は、板状に形成された弾性本体の両端に湾曲可能な帯状体が取り付けられるとともに、一方の帯状体の自由端は、前記背ボトムの側端部の頭側に設けられた弾性体取付具に着脱可能に取り付けられており、他方の帯状体の自由端は、前記マットレスの側端部のうちの前記背ボトムの脚側に対応する位置に設けられた弾性体接続具に着脱自在に取り付けられている構成とすることができる（請求項１７）。そして、このような構成を採用したことにより、マットレスおよび背ボトムに対してマットサイド用弾性体を容易に配設することができる。
【００２７】
また、本発明において、前記背ボトムと前記マットレスとの対向面のうちの少なくとも一方に、滑りの良い樹脂により形成されたシートあるいはフィルムが貼着されている構成とすることができる（請求項１８）。そして、このような構成を採用したことにより、背ボトムに対してマットレスを滑り易くすることができるので、背上げ動作時に、マットレスのスライド移動を容易かつ円滑にすることができる。
【００２８】
さらに、本発明において、前記背上げ機構および前記膝上げ機構が電動駆動されるものであり、背上げ動作を自動的に行うための自動背上げスイッチを有するコントローラと、背上げ動作を膝上げ動作に連動させて自動的に行う制御部とを有している構成とすることができる（請求項１９）。そして、このような構成を採用したことにより、背上げ動作を自動的に円滑かつ容易に行うことができる。
【００２９】
さらにまた、本発明において、前記マットレスがエアーマットレスである構成とすることができる（請求項２０）。そして、このような構成を採用したことにより、容易に使用者の褥瘡予防を行うことができる。
【００３０】
また、本発明において、前記座ボトムは、その頭側が前記背ボトムに連結される固定座ボトムと、その脚側が前記膝ボトムに連結される可動座ボトムとに分割されているとともに、前記可動座ボトムは、前記固定座ボトムに対して前記ベッドの長手方向に沿ってスライド自在に支持されており、前記膝ボトムは、その頭側が前記座ボトムの固定座ボトムに屈折自在に連結される固定膝ボトムと、その脚側が前記脚ボトムに屈折自在に連結される可動膝ボトムとに分割されているとともに、前記可動膝ボトムは、前記固定膝ボトムに対して前記ベッドの長手方向に沿ってスライド自在に支持されている構成とすることができる（請求項２１）。そして、このような構成を採用したことにより、背上げ動作および膝上げ動作を行った際に、使用者の体形の違いにより発生する使用者の臀部がマットレス上で脚側にずれ落ちたり、使用者の臀部がマトレスの膝ボトムの上方に位置する部位に乗り上げたりするという不都合を防止することができる。
【００３１】
さらに、本発明において、前記可動座ボトムは、前記固定座ボトムに対して入れ子とされており、前記可動膝ボトムは、前記固定膝ボトムに対して入れ子とされている構成とすることができる（請求項２２）。そして、このような構成を採用したことにより、固定座ボトムに対する可動座ボトムのスライド移動および固定膝ボトムに対する可動膝ボトムのスライド移動のそれぞれを円滑かつ容易に行うことができる。
【発明の効果】
【００３２】
本発明のベッドによれば、マット制御手段は、背上げ動作時に、背ボトムの背上げ角度が予め設定された角度に到達するまではマットレスがベッドの脚側にずれるのを制止することができるので、使用者の身体がベッドの脚側へずれるのを防止することができる。また、マット制御手段は、背ボトムの背上げ角度が予め設定された角度に到達した時点からさらに予め設定された角度に亘りマットレスを頭側に移動できるので、使用者の身体に加わる圧迫力を低減することができる。すなわち、背上げ動作時に、使用者の身体がベッドの脚側にずれるのを防止することができるとともに、使用者の身体に加わる負担を軽減することができるなどの優れた効果を奏する。
【図面の簡単な説明】
【００３３】
【図１】本発明に係るベッドの第１実施形態の要部を示す模式図
【図２】図１の背ボトムの要部を正面から見た断面図
【図３】図２の平面図
【図４】図２の縦断面図
【図５】図１のマットレスの要部を示す正面図
【図６】図５の平面図
【図７】本発明に係るベッドの第２実施形態の要部を示す模式図
【図８】図７のボトムの要部を示す平面図
【図９】図７の背ボトムの要部を頭側から見た側面図
【図１０】図７のマットレスの要部を示す正面図
【図１１】図１０の平面図
【図１２】図１０の下面図
【図１３】図７のセンター用弾性体の模式図
【図１４】図７のサイド用弾性体の模式図
【図１５】本発明に係るベッドの第３実施形態の要部を示す模式図
【図１６】図１５の側面図
【図１７】図１５のＡ−Ａ線に沿った断面図
【図１８】図１５のＢ−Ｂ線に沿った断面図
【図１９】図１５の上側背ボトムを省略した平面図
【図２０】本発明に係るベッドの第４実施形態の要部を示す模式図
【図２１】図２０の平面図
【発明を実施するための形態】
【００３４】
以下、本発明を図面に示す実施形態により説明する。
【００３５】
図１から図６は、本発明に係るベッドの第１実施形態を示すものである。本実施形態のベッドは、電動により駆動する背上げ機構および膝上げ機能を備えた介護用のベッドを例示している。また、本実施形態のベッドは、背ボトムを上下に分割した構成を例示している。
【００３６】
本実施形態のベッド１は、図１に示すように、基台３と、この基台３上に設けられたベッドフレーム４と、このベッドフレーム４に設けられたボトム５と、このボトム５上に載置されたマットレス６とを有している。また、ベッド１は、全体として図１の左右方向に示すベッド１の長手方向（以下、単に、「長手方向」と記す。）に沿って長い平面矩形状に形成されており、図１の左側がマットレス６に寝た使用者の頭部が位置する頭側ＨＳとされ、図１の右側がマットレス６に寝た使用者の脚部が位置する脚側ＦＳとされている。
【００３７】
前記ベッドフレーム４は、図示しない電動アクチュエータなどの駆動力により駆動される上下動リンク８ａなどからなる上下動機構８により、基台３に対して水平状態を維持しながら上下動可能に形成されている。また、ベッドフレーム４の頭側端部には、ヘッドボード４ａが取り付けられており、ベッドフレーム４の脚側端部には、フットボード４ｂが取り付けられている。なお、上下動機構８の駆動源を周知の手動により駆動されるものとすることもできる。
【００３８】
前記ボトム５は、マットレス６上に寝た使用者の背の部分に対応する背ボトム１１と、座（腰）の部分に対応する座ボトム１２と、膝（大腿部）の部分に対応する膝ボトム１３と、脚の部分に対応する脚ボトム１４とを有している。これら背ボトム１１、座ボトム１２、膝ボトム１３および脚ボトム１４は、長手方向に沿って頭側ＨＳから脚側ＦＳに向かってこの順に配列されている。
【００３９】
前記背ボトム１１の脚側端部である右端部には、筒状に形成されたボトム取付具１６が設けられている。このボトム取付具１６は、背ボトム１１の脚側端部における長手方向に対して直交するベッド１の幅方向（以下、単に、「幅方向」と記す。）の両側に間隔をおいて配置されている（図３）。さらに、ボトム取付具１６は、ベッドフレーム４に、幅方向に沿って水平に設けられた第１支軸１７により回転自在に支持されている。また、背ボトム１１は、図示しない電動アクチュエータなどの駆動力により駆動される背上げ用リンクなどからなる背上げ機構１９により、ベッドフレーム４に対して頭側端部が起伏するように、第１支軸１７を中心として揺動可能に取り付けられており、図１の実線にて示す背ボトム１１がフラットな通常状態と、図１の２点鎖線にて示す背ボトム１１が傾斜した背上げ状態とを取り得るように形成されている。なお、背ボトム１１の背上げ状態におけるベッドフレーム４とのなす角度である背上げ角度としては、例えば最大７０度程度とされている。また、背上げ機構１９としては、周知の手動により駆動されるものとすることもできる。
【００４０】
前記座ボトム１２の頭側端部および脚側端部のそれぞれには、図示しない筒状に形成されたボトム取付具１６が設けられている。そして、頭側端部のボトム取付具１６は、第１支軸１７に支持されており、脚側端部のボトム取付具１６は、ベッドフレーム４に、幅方向に沿って水平に設けられた第２支軸２１に支持されている。これにより、座ボトム１２は、第１支軸１７および第２支軸２１を介してベッドフレーム４に取り付けられているとともに、座ボトム１２の頭側端部は、第１支軸１７を介して背ボトム１１の脚側端部に連結されている。なお、座ボトム１２の頭側端部に設けられたボトム取付具１６は、第１支軸１７に支持された状態で、背ボトム１１の脚側端部に設けられたボトム取付具１６と干渉しないように配置されている。
【００４１】
前記膝ボトム１３の頭側端部におよび脚側端部のそれぞれには筒状に形成されたボトム取付具１６が設けられている。そして、頭側端部のボトム取付具１６は、第２支軸２１により回転自在に支持されている。これにより、膝ボトム１３の頭側端部は、第２支軸２１を介してベッドフレーム４に取り付けられているとともに、第２支軸２１を介して座ボトム１２の脚側端部に連結されている。また、膝ボトム１３は、図示しない電動アクチュエータなどの駆動力により駆動される膝上げ用リンクなどからなる膝上げ機構２３により、ベッドフレーム４に対して脚側端部が起伏するように、第２支軸２１を中心として揺動可能に取り付けられており、図１の実線にて示す膝ボトム１３がフラットな通常状態と、図１の２点鎖線にて示す膝ボトム１３が傾斜した膝上げ状態とを取り得るように形成されている。なお、膝ボトム１３の膝上げ状態におけるベッドフレーム４とのなす角度である膝上げ角度としては、例えば最大３０度程度とされている。また、脚側端部のボトム取付具１６は、連結軸としての第３支軸２５に回転自在に取り付けられている。この第３支軸２５は、ベッドフレーム４に対して独立して移動自在にして膝ボトム１３の脚側端部に設けられたボトム取付具１６を介して膝ボトム１３、ひいては膝上げ機構２３に支持されている。なお、膝ボトム１３の頭側端部に設けられたボトム取付具１６は、第２支軸２１に支持された状態で、座ボトム１２の脚側端部に設けられたボトム取付具１６と干渉しないように配置されている。また、膝上げ機構２３としては、周知の手動により駆動されるものとすることもできる。
【００４２】
前記脚ボトム１４の頭側端部には、図示しない筒状に形成されたボトム取付具１６が設けられており、この頭側端部のボトム取付具１６は、第３支軸２５により回転自在に支持されている。これにより、脚ボトム１４の頭側端部は、第３支軸２５を介して膝ボトム１３の脚側端部に連結されているとともに、膝ボトム１３の膝上げ動作に連動して上下動するように配置されている。なお、脚ボトム１４の頭側端部に設けられたボトム取付具１６は、第３支軸２５に支持された際に、膝ボトム１３の脚側端部に設けられたボトム取付具１６と干渉しないように配置されている。また、脚ボトム１４の脚側端部は、脚ボトム１４の頭側端部が膝ボトム１３の膝上げ動作に連動して上下動する際に、長手方向に沿って水平移動するようにされている。
【００４３】
本実施形態のベッド１は、ベッドフレーム４の上下動、背ボトム１１による背上げ、膝ボトム１３による膝上げなどの操作を行うためのリモートコントローラあるいはハンドコントローラと称されるコントローラ２７を有している（図１）。このコントローラ２７は、直方体形状に形成されており、操作面となる前面には、円形あるいは四角形とされた押しボタンなどからなる各種のスイッチ、例えば背上げを自動的に行う際の入力操作に用いる自動背上げ釦２７ａや、この自動背上げ釦２７ａの操作により自動的に背上げした背ボトム１１をフラットな状態に復帰させる際の入力操作に用いる背上げ復帰スイッチとしての寝る釦２７ｂや、ベッドフレーム４の上下動を単独で行う際の入力操作に用いるベッドフレーム４の上昇釦、下降釦、停止釦（図示せず）や、背上げを単独で行う際の入力操作に用いる背ボトム１１の上昇釦、下降釦、停止釦（図示せず）や、膝上げを単独で行う際の入力操作に用いる膝ボトム１３の上昇釦、下降釦、停止釦（図示せず）などが配置されている。なお、背上げ操作に用いる停止釦は、背上げ動作を自動的に行う際における最大の背上げ角度を設定するのに用いられている。また、膝上げ操作に用いる停止釦は、背上げ動作を自動的に行う際における最大の膝上げ角度を設定するのに用いられている。さらに、図１に示すコントローラ２７には、自動背上げ釦２７ａおよび寝る釦２７ｂのみを図示してある。
【００４４】
前記コントローラ２７の内部には、制御部３０が設けられている。この制御部３０は、図示しない各種の演算処理を行う演算部として機能するＣＰＵ（ＭＰＵであってもよい。）と、プログラムやデータを記憶する記憶部として機能するメモリとを主として形成されている。そして、制御部３０には、少なくとも前述した上下動機構８、背上げ機構１９、膝上げ機構２３のそれぞれの図示しない駆動源、スイッチ類、電源コードなどが電気的に接続されている。また、メモリには、少なくとも、後に詳しく述べる背上げ動作を自動的に行うためのプログラムおよびデータが記憶されている。なお、制御部３０をコントローラ２７から分離してもよい。
【００４５】
前記背ボトム１１は、図２から図４に示すように、下側背ボトム３１と、この下側背ボトム３１上にベッド１の長手方向にスライド自在に支持される上側背ボトム３２とを有している。
【００４６】
前記下側背ボトム３１は、平板状の下本体部３５を有している。この下本体部３５の上面は、上側背ボトム３２を直接支持する支持面３５ａとされている。また、下本体部３５の上面の脚側端部には、上方に向けて突出する第１側壁部３６が立設されており、下本体部３５の上面の幅方向の両端部には、それぞれ上方に向けて突出する第２側壁部３７が立設されている。そして、第１側壁部３６の上面と、両第２側壁部３７の上面とは面一にされている。また、両第２側壁部３７の脚側端部は、第１側壁部３６の頭側端部と間隔をおいて配置されている。さらに、両第２側壁部３７の相互に対向する内側側面の下端部には、それぞれガイド溝３８が凹設されている（図４）。このガイド溝３８は、長手方向に沿って延在する断面矩形とされている。このガイド溝３８の下面は、下本体部３５の上面と面一に形成されており、支持面３５ａとしての機能を有している。なお、ガイド溝３８は、第２側壁部３７の高さ方向の中央部に設けたり、第２側壁部３７の上面に設けたりすることができる。
【００４７】
前記下本体部３５の支持面３５ａには、複数、本実施形態においては３つの上部が開口する下側凹部３９が間隔をおいて並設されている。この下側凹部３９は、長手方向に沿って長い平面矩形状で、断面横長矩形状とされている。さらに、下側凹部３９の頭側端部には、引張応力を具備するボトム用弾性体としての引張りばね４０の一端が直接あるいは間接に着脱自在に取り付けられている。そして、下側背ボトム３１の脚側端部に、前述したボトム取付具１６が設けられている。また、下本体部３５の下面の頭側ＨＳには、ロープ、ベルト、チェーンなどの接続部材４２の一端が取り付けられており、この接続部材４２の他端には、上側背ボトム３２の移動を阻止するための仮止めフック４３の基部が取り付けられている（図２）。なお、仮止めフック４３は、下側背ボトム３１から上側背ボトム３２が脱落することを防止する機能も備えている。なお、ボトム用弾性体としては、ゴム系伸縮材などの弾性体の両側に、フックやベルトやロープなどの連結部材を設けた構成のものであってもよい。
【００４８】
前記上側背ボトム３２は、平板状の上本体部４５を有している。この上本体部４５の下面は、下側背ボトム３１に直接あるいは間接にスライド自在に支持されたスライド面４５ａとされている。さらに、上本体部４５の長手方向に沿った長さ寸法は、第２側壁部３７の長手方向に沿った長さ寸法とほぼ同一とされている。また、上本体部４５の幅寸法は、両第２側壁部３７の相互間の間隔より若干小さく形成されている。さらに、上本体部４５の幅方向両端部の下端部には、それぞれガイド溝３８に摺動自在に嵌合する断面矩形状の張出部４６が突設されている（図４）。これらの張出部４６の下面は、上本体部４５の下面と面一に形成されており、スライド面４５ａとしての機能を有している。なお、張出部４６は、ガイド溝３８の形成位置に対応させて上本体部４５の幅方向両端部における高さ位置を設定すればよい。
【００４９】
前記上本体部４５のスライド面４５ａには、複数、本実施形態においては３つの下部が開口する上側凹部４７が間隔をおいて並設されている。この上側凹部４７は、長手方向に沿って長い平面矩形状で、断面横長矩形状とされており、下側凹部３９とほぼ対向するように配置されている。さらに、上側凹部４７の脚側端部には、引張りばね４０の他端が直接あるいは間接に着脱自在に取り付けられている。なお、引張りばね４０に代えて圧縮ばねを用いる場合には、当該圧縮ばねの両端部と下側凹部３９と上側凹部４７との接続状態が逆とされる。なお、上本体部４５にガイド溝３８を設け、下本体部３５に張出部４６を設ける構成としてもよい。
【００５０】
前記下側背ボトム３１の材料としては、ポリエチレン（ＰＥ）、ポリアセタール（ＰＯＭ）、ポリアミド（ＰＡ：ナイロン（登録商標））、ふっ素樹脂などの滑りの良い樹脂を用いることができる。なお、ポリエチレンとしては、硬い素材である高密度ポリエチレン（ＨＤＰＥ）が好ましい。また、ふっ素樹脂としては、摩擦係数が小さく、粘着性のないポリテトラフルオロエチレン（ＰＴＦＥ）が好ましい。このＰＴＦＥとしては、単独でもよいが、耐摩耗性を向上させるように、例えばガラスファイバ、カーボン、グラファイト、モリブデン、カーボンファイバなどが単独あるいは数種類を組み合わせて充填剤として適宜な量が配合されたものであってもよい。さらに、下側背ボトム３１をふっ素樹脂以外の樹脂で形成した場合、支持面３５ａをふっ素樹脂で被覆する構成とすることができる。このふっ素樹脂による被覆層としては、特に、摩擦係数が小さく、粘着性のない摺動面を得ることができるなどの理由によりＰＴＦＥのフィルムあるいはシートを貼着することで形成することができる。このＰＴＦＥのフィルムあるいはシートは、スライド面４５ａの全面に貼着してもよいし、ストライプ状、デルタ状、モザイク状などの各種の配置により部分的に貼着してもよい。さらにまた、ＰＴＦＥのフィルムあるいはシートを用いる場合、背ボトム１１をアルミニウム、ステンレススチール、スチールなどの金属により形成することができる。なお、上側背ボトム３２としても、下側背ボトム３１と同様に、前述した滑りの良い樹脂により形成したり、ふっ素樹脂以外の樹脂や金属で形成するとともに、スライド面４５ａにＰＴＦＥのフィルムあるいはシートを貼着したりすることで形成することができる。
【００５１】
つまり、背ボトム１１は、下側背ボトム３１および上側背ボトム３２の両方をふっ素樹脂で形成する構成とすることができるし、下側背ボトム３１および上側背ボトム３２の一方をふっ素樹脂で形成するとともに、他方を金属またはふっ素樹脂以外の樹脂で形成する構成としたり、下側背ボトム３１および上側背ボトム３２の両方をふっ素樹脂以外の樹脂で形成するとともに、支持面３５ａおよび／またはスライド面４５ａをＰＴＦＥのフィルムあるいはシートで被覆する構成としたり、下側背ボトム３１および上側背ボトム３２の両方（背ボトム１１）を金属で形成するとともに、支持面３５ａおよび／またはスライド面４５ａをＰＴＦＥのフィルムあるいはシートで被覆する構成としたりすることができる。
【００５２】
前記座ボトム１２の両側端部および脚ボトム１４の脚側端部には、マットレス６を取り付けるための固定具としてのボトム用マット取付具４８が設けられている。また、背ボトム１１のスライドする上側背ボトム３２の頭側先端部にもマットレス６を取り付けるための固定具としてのボトム用マット取付具４８が数個取り付けられている。そして、背ボトム１１のスライドする上側背ボトム３２の先端部のボトム用マット取付具４８にマットレス６の後述する頭側固定具としてマット用マット取付具５５を固定し、常時引張りばね４０の応力によって上側背ボトム３２をマットレス６の頭側先端より約１５ｃｍの位置で３００Ｎの応力で引っ張っている。また、背ボトム１１の傾斜角度が約４５度からマットレス６が頭側にずれると同時に、引張りばね４０の応力が加勢となり、マットレス６をスムーズに頭側ＨＳに引き上げることにより肩甲骨に加わる圧迫力を無くすることとなる。なお、後述するマットレス６の脚側先端に取り付ける固定具並びに座ボトム１２の位置部分に取付ける固定具としてのマット用マット取付具５５は伸縮可能なものとするとよい。
【００５３】
前記下側背ボトム３１、上側背ボトム３２および引張りばね４０により、本実施形態の背上げ動作時に、背ボトム１１の背上げ角度が予め設定された小さい角度に到達するまではマットレス６が脚側ＦＳにずれるのを制止し、背ボトム１１の背上げ角度が予め設定された小さい角度に到達した時点からさらに予め設定された大きい角度（本実施形態においては最大の角度）に亘りマットレス６を頭側ＨＳに移動するようにマットレス６の動作制御を行うためのマット制御手段５０が構成されている。
【００５４】
前記３つの下側凹部３９および３つの上側凹部４７により、本実施形態の下側背ボトム３１と上側背ボトム３２との相互間に、その長手方向をベッド１の長手方向に向けて設けられた相互に平行に延在する複数の収納空間５１が構成されている。
【００５５】
前記引張応力を具備するボトム用弾性体としての引張りばね４０により、本実施形態の下側背ボトム３１に対して上側背ボトム３２を頭側に向かって付勢するボトム用付勢手段５２が構成されている。
【００５６】
なお、座ボトム１２および膝ボトム１３としては、その幅寸法を使用者の体形に応じて調節できるようにするとよい。
【００５７】
前記マットレス６は、図５および図６に示すように、長手方向に長い平面矩形状に形成されている。このマットレス６の頭側端部には、背ボトム１１、詳しくは上側背ボトム３２の上本体部４５の頭側端部に設けられたボトム用マット取付具４８に対応する複数、本実施形態においては３つのマット用マット取付具５５が設けられている。なお、３つのマット用マット取付具５５のうちの少なくとも１つ、例えば幅方向中央のマット用マット取付具５５には、仮止めフック４３が掛けられるようになっている。また、マットレス６の幅方向の両側端部には、座ボトム１２の両側端部に設けられたボトム用マット取付具４８と対応するマット用マット取付具５５が設けられている。このマットレス６の幅方向の両側端部に設けられたマット用マット取付具５５とボトム用マット取付具４８とは、長手方向に沿って相対移動可能にされている。
【００５８】
前記マットレス６としては、使用者に褥瘡が生じるのを防止するなどの理由により、ゲル＋ウレタン系、ウオーター系、エアー系、エアー切り替え系のマットを用いてもよい。
【００５９】
その他の構成については、周知のベッドと同様とされているので、その詳しい説明については省略する。なお、同一図面中にある複数の同一部材については、一部にのみ符号を付してある。
【００６０】
つぎに、前述した構成からなる本実施形態の作用について説明する。
【００６１】
本実施形態のベッド１の使用は、ベッドフレーム４上に取り付けられたボトム５上にマットレス６を載置し、マットレス６に設けられたマット用マット取付具５５のそれぞれを、対応するボトム５に設けられたボトム用マット取付具４８に嵌合して取り付ける。すなわち、マットレス６を載せる前のボトム５の上側背ボトム３２は引張りばね４０の応力によって下側背ボトム３１より頭側ＨＳに突き出ている。そこで、この突き出ている上側背ボトム３２を下側背ボトム３１と同じ位置にするために、上側背ボトム３２にマットレス６を固定するまで、上側背ボトム３２のマットレス６を固定する固定具としてのボトム用マット取付具４８に、仮止めフック４３を固定する。その後、マットレス６の固定具としてのマット用マット取付具５５を上側背ボトム３２の固定具としてのボトム用マット取付具４８に２個固定したら、仮止めフック４３を取り外す。その後、マットレス６の残りのマット用マット取付具５５をボトム用マット取付具４８にそれぞれ固定する。これにより、ボトム５上にマットレス６を取り付けることができる。この時、収納空間５１に配置された引張りばね４０の付勢力は、上側背ボトム３２に取り付けられたマットレス６に加わり、マットレス６の頭側ＨＳを脚側ＦＳから離間する方向に付勢することになる。この状態で、マットレス６上に使用者が寝ることになる。
【００６２】
つぎに、本実施形態のベッド１による背上げ動作について説明する。この背上げ動作は、背上げを自動的に行う場合と、背上げを手動で行う場合とがある。一方の背上げを自動的に行う自動背上げは、背上げ動作を膝上げ動作に連動させて行うものであり、メモリに記憶されているプログラムおよびデータに基づいて、制御部３０が背上げ機構１９および膝上げ機構２３のそれぞれを駆動する電動アクチュエータの動作制御を行うことで実行する。他方の背上げを手動で行う手動背上げは、周知の如く、使用者あるいは介助者などの操作者が背ボトム１１の上昇釦および停止釦を操作して実行する。なお、座ボトム(腰ボトム)１２と膝ボトム１３を使用者の体形に合わせて長さを調節してからベッド１の動作を開始する。
【００６３】
ここで、本実施形態のベッド１の特徴である自動背上げについて説明する。この自動背上げは、最大の背上げ角度および最大の膝上角度を予め設定してから行う。最大の背上げ角度の設定は、例えば背ボトム１１の上昇釦を押すことにより背ボトム１１の頭側ＨＳを上昇させて所定の背上げ角度、本実施形態においては７０度とし、この状態で背ボトム１１の停止釦を押すことで設定、すなわち７０度を背上げ角度の最大値としてメモリに記憶する。また、最大の膝上げ角度の設定は、最大の背上げ角度の設定と同様に、膝ボトム１３の上昇釦を押すことにより膝ボトム１３の脚側ＦＳを上昇させて所定の膝上げ角度、本実施形態においては３０度とし、この状態で膝ボトム１３の停止釦を押すことで設定、すなわち３０度を膝上げ角度の最大値としてメモリに記憶する。
【００６４】
続いてベッド１における背上げを行う。この時、仮止めフック４３はベッド使用時にマットレス６を固定する時点で、上側背ボトム３２から取り外されるが、マットレス６の動きは、背ボトム１１の傾斜角度０〜４３度までは、脚側ＦＳに動き、傾斜角度４３度から７０度までは、頭側ＨＳに自然的に動く。しかしながら、使用者の体重がマットレス６の背中部分に加わっているため、マットレス６が頭側ＨＳに動かないため、引張りばね４０の応力によって、マットレス６を頭側ＨＳにスムーズに動かし、圧迫力を低減することとなる。
【００６５】
つぎに、本実施形態のベッド１における背上げを小さい背上げ角度まで自動的に行う自動背上げの動作フローについて説明する。この自動背上げは、コントローラ２７に設けられた自動背上げ釦２７ａを押すことで開始する。すると、フラットな膝ボトム１３が予め設定された角度、本実施形態においては最大の膝上げ角度である３０度になる。ついで、フラットな背ボトム１１が予め設定された小さい背上げ角度、本実施形態においては４５度になる。これにより、背ボトム１１と膝ボトム１３とのなす角度が１０５度になる。この時、背ボトム１１の背上げ角度が４５度に到達するまでは、マットレス６は背ボトム１１に押し出されてベッド１に対してマットレス６の前ずれが発生する。そして、背ボトム１１の傾斜角度が０〜３０度までは、マットレス６の足側にずれ動く幅は少ないが、傾斜角度３０〜４５度までは、マットレス６が脚側ＦＳに押し出される幅が大きくなり、使用者の身体も脚側ＦＳへの滑り幅が大きくなる。この前ずれを防止するために、使用者の体形に合わせて、座ボトム(腰ボトム)１２および膝ボトム１３の長さを調節して、身体の前ずれを防止するとともに、マットレス６を各ボトム１１、１２、１３、１４に固定し、ずれ動きを静止させている。更に説明すると、この時、背ボトム１１の背上げ角度が４５度に到達するまでは、マットレス６を介して上側背ボトム３２に加わる使用者の背中部分の重さにより、上側背ボトム３２が引張りばね４０の付勢力により頭側ＨＳに移動するのを制止するとともに、マットレス６が脚側ＦＳにずれるのを制止する。なお、ボトム用マット取付具４８とマット用マット取付具５５でボトム５に取り付けられているマットレス６がずれようとするのは、背ボトム１１が第１支軸１７を中心に屈折するのに対して、マットレス６は、その背ボトム１１と脚ボトム１４との連結部分に対応する部位が湾曲してボトム５から離間するからである。
【００６６】
つぎに、本実施形態のベッド１における背上げを小さい背上げ角度から最大の背上げ角度まで自動的に行う自動背上げの動作フローについて説明する。背ボトム１１が小さい背上げ角度からさらに予め設定された最大の背上げ角度、本実施形態においては７０度まで背上げされる。この時、背ボトム１１の背上げ角度が４５度から１度増加する毎に、膝ボトム１３の膝上げ角度が１度減少する。これにより、背ボトム１１と膝ボトム１３とのなす角度を１０５度に保持するとともに、背ボトム１１がさらに予め設定された最大の背上げ角度である７０度に到達したときには、膝ボトム１３がフラットになる。この時、マットレス６を介して上側背ボトム３２に加わる使用者の背中部分の重さが背ボトム１１の背上げ角の増加にともなって次第に減少するので、引張りばね４０の付勢力によりマットレス６が頭側ＨＳに次第に移動、詳しくは張りばね４０の付勢力とマットレス６の屈折とによりマットレス６の頭側ＨＳがベッド１の長手方向に次第に伸張して上側背ボトム３２とともにマットレス６の頭側端部が徐々にせり上る。これにより、従来のマットレス６に使用者の背中部分が沈み込み、肩胛骨部分に強い圧迫力が加わるのを軽減し、使用者の脚側ＦＳへのずれや、背中に加わる背圧、腹部に加わる腹圧などの圧迫力のない楽な姿勢で起き上がり、座位を取ることができる。なお、本実施形態のベッド１における背上げ動作によるマットレス６の頭側端部の移動距離は、マットレス６の厚さに応じて異なるために、最大で例えば５〜１５ｃｍ程度とされている。また、マットレス６の頭側端部の移動距離は、引張りばね４０の付勢力や使用者の体重などにより変動する。さらに、背ボトム１１と膝ボトム１３とのなす角度を１０５度に保持することにより、背上げ時に、使用者の腹部に圧迫力が加わるのを防止することができるし、マットレス６をエアーマットとした場合における褥瘡の防止に寄与できる。そして、背ボトム１１の背上げ角度が７０度に到達すると、背上げ動作が終了する。なお、背ボトム１１の傾斜角度４５度からマットレス６が頭方向に動く幅は、マットレス６の厚さに比例する。また、背ボトム１１より上にあるマットレス６は背ボトム１１の内側で動くため、背ボトム１１の傾斜角度４５度から自然に頭側ＨＳに動く。
【００６７】
つぎに、背上げした背ボトム１１をフラットな状態に復帰させる動作フローについて説明する。この背上げからの復帰は、コントローラ２７に設けられた寝る釦２７ｂを押すことで行う。そして、寝る釦２７ｂを押すと、まず、膝上げ角度を１５度とする。ついで、背上げ角度が７０度から減少する。この時、背上げ角度が７０度から１０度に到達するまでは、膝上げ角度を１５度に保持する。ついで、背上げ角度が１０度から０度（フラット）になる。この時、膝上げ角度も１５度から０度（フラット）になることで、背上げした背ボトム１１の復帰動作が終了する。このように、背上げした背ボトム１１をフラットな状態に復帰、すなわちマットレス６上の座位姿勢を取る使用者を寝た姿勢に移行させる際に、膝上げを行うことで、身体が動くのを静止できる。
【００６８】
このように、本実施形態のベッド１によれば、ボトム用付勢手段５２およびボトム用弾性体としての引張りばね４０は、背上げ動作時に、背ボトム１１の背上げ角度が予め設定された小さい角度としての４５度に到達するまではマットレス６が脚側ＦＳにずれるのを阻止することができるので、使用者の身体が脚側ＦＳへずれるのを防止することができるし、背ボトム１１の背上げ角度が予め設定された小さい角度に到達した時点からさらに予め設定された最大の角度としての７０度に亘りマットレス６を頭側ＨＳに移動させるので、使用者の身体が脚側ＦＳへずれるのを防止することができることに加えて、使用者の身体に加わる圧迫力を低減することができる。
【００６９】
したがって、本実施形態のベッド１によれば、背上げ動作時に、使用者の身体が脚側ＦＳにずれるのを防止することができるとともに、使用者の身体に加わる圧迫力を低減することができる。
【００７０】
また、本実施形態のベッド１によれば、背ボトム１１がその頭側ＨＳが起伏するように揺動可能に配置される下側背ボトム３１と、この下側背ボトム３１上にベッド１の長手方向に沿ってスライド自在に支持される上側背ボトム３２とに分割形成されており、上側背ボトム３２の頭側端部には、マットレス６をボトム５に取り付けるためのボトム用マット取付具４８が配置されており、マットレス６の頭側端部には、前記マットレス６を上側背ボトム３２に取り付けるためのマット用マット取付具５５がボトム用マット取付具４８と対向する位置に配置されており、ボトム用付勢手段５２としての引張りばね４０は、上側背ボトム３２を頭側ＨＳに付勢するものであるから、マットレス６の頭側ＨＳを上側背ボトム３２の頭側ＨＳに取り付けることができるし、背上げ動作時に、上側背ボトム３２、ひいてはマットレス６を頭側ＨＳに確実に付勢することができる。
【００７１】
さらに、本実施形態のベッド１によれば、ボトム用付勢手段５２が下側背ボトム３１と上側背ボトム３２との相互間に、その長手方向をベッド１の長手方向に向けて設けられた相互に平行に延在する複数の収納空間５１と、収納空間５１のそれぞれに収容された引張応力を具備するボトム用弾性体としての引張りばね４０を有しているから、背上げ動作時に、上側背ボトム３２、ひいてはマットレス６を頭側ＨＳに確実かつ容易に付勢することができるし、ボトム用弾性体としての引張りばね４０を背ボトム１１に容易に組み込むことができる。
【００７２】
さらに、本実施形態のベッド１によれば、ボトム用弾性体が引張りばね４０であるから、ボトム用弾性体を簡単な構成とすることができる。
【００７３】
さらにまた、本実施形態のベッド１によれば、下側背ボトム３１には、ベッド１の長手方向に沿って延在するガイド溝３８が形成されており、上側背ボトム３２には、ガイド溝３８に摺動自在に嵌合する張出部４６が形成されているから、ガイド溝３８に張出部４６を嵌合させるという簡単な構成で、下側背ボトム３１上でスライドする上側背ボトム３２の移動経路を容易に規制することができる。
【００７４】
また、本実施形態のベッド１によれば、下側背ボトム３１の脚側端部に設けられたボトム取付具１６は、背上げ動作時における背ボトム１１の揺動中心を背ボトム１１の脚側端部に設けることができ、下側背ボトム３１の頭側ＨＳに設けられた仮止めフック４３は、仮止めフック４３をマット用マット取付具５５に掛けるという簡単な操作によって、下側背ボトム３１上でスライドする上側背ボトム３２が下側背ボトム３１から脱落するのを阻止することができる。
【００７５】
さらに、本実施形態のベッド１によれば、下側背ボトム３１が滑りの良い樹脂により形成されているから、下側背ボトム３１を滑りやすくすることができるので、背上げ動作時に、上側背ボトム３２のスライド移動を容易かつ円滑にすることができる。
【００７６】
さらにまた、本実施形態のベッド１によれば、背上げ機構１９および膝上げ機構２３が電動駆動されるものであり、背上げ動作を自動的に行うための自動背上げスイッチとしての自動背上げ釦２７ａを有するコントローラ２７と、背上げ動作を膝上げ動作に連動させて自動的に行う制御部３０とを有しているから、背上げ動作を自動的に円滑かつ容易に行うことができる。また、コントローラ２７を操作する操作者の労力を軽減することができる。
【００７７】
図７から図１４は、本発明に係るベッドの第２実施形態を示すものである。本実施形態のベッドは、背ボトムを分割しない構成としたものである。
【００７８】
すなわち、本実施形態のベッド６１は、図７から図９に示すように、長手方向に沿って頭側ＨＳから脚側ＦＳに向かってこの順に配列された背ボトム６５、座ボトム１２、膝ボトム１３および脚ボトム１４を具備するボトム６３を有している。
【００７９】
前記背ボトム６５の頭側端部には、ガイド部材６７が設けられている。このガイド部材６７は、背ボトム６５の頭側端部から間隔をおいて平行かつ水平に延在するガイド本体６７ａを有している。また、背ボトム６５の下面には、複数、本実施形態においては２つの弾性体取付具６９としての第１弾性体取付具６９ａが幅方向に間隔をおいて並設されている。さらに、背ボトム６５の頭側両側端部には、それぞれ弾性体取付具６９としての第２弾性体取付具６９ｂが上方に向かって立設されている。
【００８０】
本実施形態のボトム６３の上面には、幅方向に沿って並設された２列の空気孔用溝部７１が設けられており、これらの空気孔用溝部７１には、ボトム６３を厚さ方向に貫通する複数の通気孔７２が設けられている。これらの通気孔７２は、長手方向に沿って配列されている。
【００８１】
前記座ボトム１２の両側端部、脚ボトム１４の脚側端部のそれぞれには、マットレス８０を取り付けるためのボトム用マット取付具４８が設けられている。なお、座ボトム１２の両側端部に設けられたボトム用マット取付具４８と、後述するマットレス８０に設けられた対応するマット用マット取付具５５とは、ボトム６３にマットレス８０を取り付けた取付状態で、長手方向に沿って相対移動可能にされている。
【００８２】
本実施形態のマット制御手段７５は、背ボトム６５に対してマットレス８０をベッド６１の頭側ＨＳに向かって付勢するマット用付勢手段７６を有している。このマット用付勢手段７６は、一端がマットレス８０に取り付けられ、他端が背ボトム６５に取り付けられた引張応力を具備するマット用弾性体７８を有している。また、マット用弾性体７８は、複数、本実施形態においては２つのセンター用弾性体７８ａと、複数、本実施形態においては２つのサイド用弾性体７８ｂとを有している。なお、マット用付勢手段７６としては、センター用弾性体７８ａおよびサイド用弾性体７８ｂの一方のみであってもよい。
【００８３】
前記センター用弾性体７８ａは、図１３に示すように、ゴム系伸縮材などにより板状に形成された弾性本体８１の両端に湾曲可能な帯状体８２が取り付けられているとともに、図１３の左側に示す一方の帯状体８２の先端部には、フック８３が取り付けられている。また、図１３の右側に示す他方の帯状体８２の先端部たる自由端部は、マットレス８０に取り付けるためのマット取付部８４とされている。そして、センター用弾性体７８ａのマット取付部８４は、図１０および図１１に示すように、マットレス８０の下面の頭側ＨＳに取り付けられている。また、センター用弾性体７８ａのフック８３は、図７に示す第１弾性体取付具６９ａに着脱自在に取り付けられている。この時、センター用弾性体７８ａの長手方向の途中部分は、図７に示すように、ガイド部材６７のガイド本体６７ａにより折り返されるとともに、スライド自在に支持されている。なお、センター用弾性体７８ａとしては、弾性本体８１と帯状体８２を、帯状体８２、弾性本体８１、帯状体８２の順に配置したり、帯状体８２の両側に弾性本体８１を配置したりする構成としてもよい。
【００８４】
前記サイド用弾性体７８ｂは、図１４に示すように、ゴム系伸縮材などにより板状に形成された弾性本体８１の両側に、湾曲可能な帯状体８２が取り付けられ、さらに図１４の左側に示す一方の帯状体８２には、この部分を第２弾性体取付具６９ｂに巻き付けて着脱可能に取り付けるための帯取付具８６が取り付けられ、さらにまた、図１４の右側に示す他方の帯状体８２の先端にフック８３が取り付けられたものである。そして、サイド用弾性体７８ｂの一方の帯状体８２の先端部は、図７に示すように、第２弾性体取付具６９ｂに巻き付けられて帯取付具８６により着脱可能に取り付けられており、サイド用弾性体７８ｂのフック８３は、図７に示すように、マットレス８０の側面のうちの背ボトム６５の脚側に対応する位置に設けられた弾性体接続具９１に着脱自在に取り付けられている。
【００８５】
前記帯取付具８６としては、複数、本実施形態においては２組の取付用ホック８７が用いられている。これらの取付用ホック８７は、帯状体８２の長手方向に沿って予め設定された間隔をおいて取り付けられている。また、取付用ホック８７は、一対の雄部材８７ａと雌部材８７ｂを有している。この取付用ホック８７としては、ロットボタン、スナップボタンなどの連結係着部材から選択することができる。なお、帯取付具８６としては、面ファスナを用いてもよい。また、サイド用弾性体７８ｂとしては、弾性本体８１と帯状体８２を、帯状体８２、弾性本体８１、帯状体８２の順に配置したり、帯状体８２の両側に弾性本体８１を配置したりする構成としてもよい。
【００８６】
前記マット用弾性体７８としては、引張りばねを用いてもよい。この場合、可撓性を有するカバーにより引張りばねの外周を覆うとよい。また、マット用弾性体７８としては、センター用弾性体７８ａおよびサイド用弾性体７８ｂのうちのいずれか一方のみを用いる構成としてもよい。
【００８７】
前記背ボトム６５の材料としては、ポリエチレン（ＰＥ）、ポリアセタール（ＰＯＭ）、ポリアミド（ＰＡ：ナイロン（登録商標））、ふっ素樹脂などの滑りの良い樹脂を用いることができる。なお、ポリエチレンとしては、硬い素材である高密度ポリエチレン（ＨＤＰＥ）が好ましい。また、ふっ素樹脂としては、摩擦係数が小さく、粘着性のないポリテトラフルオロエチレン（ＰＴＦＥ）が好ましい。このＰＴＦＥとしては、単独でもよいが、耐摩耗性を向上させるように、例えばガラスファイバ、カーボン、グラファイト、モリブデン、カーボンファイバ等が単独あるいは数種類を組み合わせて充填剤として適宜な量が配合されたものであってもよい。ここで、背ボトム６５をふっ素樹脂以外の樹脂で形成した場合、背ボトム６５の上面をふっ素樹脂で被覆する構成とすることができる。このふっ素樹脂による被覆層としては、特に、摩擦係数が小さく、粘着性のない摺動面を得ることができるなどの理由によりＰＴＦＥのフィルムあるいはシートを貼着することで形成することができる。このＰＴＦＥのフィルムあるいはシートは、背ボトム６５の上面の全面に貼着してもよいし、ストライプ状、デルタ状、モザイク状などの各種の配置により部分的に貼着してもよい。
【００８８】
なお、背ボトム６５とこの背ボトム６５に対向するマットレス８０の頭側下面との対向面のうちの少なくとも一方に、前述したＰＴＦＥのフィルムあるいはシートを貼着することで、摩擦係数が小さく、粘着性のない摺動面を得る構成としてもよい。ここで、背ボトム６５に対向するマットレス８０の頭側下面との対向面とは、マットレス８０に取り付けられているセンター用弾性体７８ａの背ボトム６５の上面に対向する面を含む。このように、ＰＴＦＥのフィルムあるいはシートを用いる場合、背ボトム６５をアルミニウム、ステンレススチール、スチールなどの金属により形成することができる。
【００８９】
前記マットレス８０には、図１０および図１１に示すように、ボトム６３に設けられたボトム用マット取付具４８と対応するマット用マット取付具５５が設けられている。また、マットレス８０の両側端部のうちの背ボトム６５の脚側端部より頭側ＨＳ位置には、サイド用弾性体７８ｂのフック８３を着脱自在に取り付けるための弾性体接続具９１が設けられている。なお、マットレス８０しては、使用者に褥瘡が生じるのを防止するなどの理由により、使用者がマットレス８０上に寝た際に、使用者とマットレス８０との接触部分に均一な圧力が加わるエアーマットを用いてもよい。勿論、前述したゲル＋ウレタン系、ウオーター系、エアー切り替え系のマットを用いてもよい。
【００９０】
その他の構成については、前述した第１実施形態のベッド１と同様とされているので、図面中の要部に同一の符号を付し、その詳しい説明については省略する。また、同一図面中にある複数の同一部材については、一部にのみ符号を付してある。
【００９１】
このような構成からなる本実施形態のベッド６１によれば、前述した第１実施形態のベッド１と同様の効果を奏することができる。
【００９２】
すなわち、本実施形態のベッド６１によれば、背ボトム６５に対してマットレス８０を頭側に向かって付勢するマット制御手段７５としてのマット用付勢手段７６たるセンター用弾性体７８ａおよびサイド用弾性体７８ｂからなるマット用弾性体７８は、マットレス８０を常に頭側ＨＳに付勢するので、背上げ動作時に、背ボトム６５の背上げ角度が予め設定された小さい角度としての４５度に到達するまではマットレス８０が脚側にずれるのを阻止するので、使用者の身体が脚側へずれるのを低減することができる。また、背ボトム６５の背上げ角度が４５度に到達した時点からさらに予め設定された最大の角度としての７０度に亘りマットレス８０を頭側に移動させるので、使用者の身体が脚側へずれるのを低減することができることに加えて、使用者の身体に加わる圧迫力を低減することができる。なお、背上げ角度が４５度から７０度に亘る範囲におけるマットレス８０の頭側への移動量は、背上げ角度の増加にともなって増加する。
【００９３】
更に説明すると、背ボトム６５の頭側先端にマット用弾性体78の滑りが良いガイド部材６７としてのパイプを取り付け、背ボトム６５の裏面のガイド部材６７としてのパイプより７０ｃｍ座ボトム１２寄りにマット用弾性体７８を固定する固定具を取付ける。マットレス８０の裏面の頭側にマット用弾性体７８を縫い付ける。脚ボトム１４と座ボトム１２のボトム用マット取付具４８をベッド６１のマット用マット取付具５５に固定し、マット用弾性体７８をガイド部材６７に掛け、マット用弾性体７８の弾性本体８１としての伸縮可能な編みゴム帯を引き伸ばし、1本１００Ｎの張力で背ボトム６５の裏面にある固定具に固定する。この状態でマットレス８０に頭方向に引く力が常時加わる。背ボトム６５の傾斜角度４５度まではマットレス８０が脚側ＦＳに押し出される動きを静止する。背ボトム６５の傾斜角度４５度から７０度まではマットレス８０は、背ボトム６５の頭方向に(マットレスの厚さに比例して)自然的に動くが、使用者の体重によって肩甲骨部分がマットレス８０に沈み込みマットレス８０の頭側方向の動きがスムーズに動かないために沈み込んだ肩甲骨部分に強く圧迫力が加わろうとするが、マット用弾性体７８の張力によってマットレス８０を背ボトム６５の頭側ＨＳに引き上げるので、使用者の身体に加わる圧迫力を低減することができる。
【００９４】
したがって、本実施形態のベッド６１によれば、背上げ動作時に、使用者の身体が脚側にずれるのを低減することができるとともに、使用者の身体に加わる圧迫力を低減することができる。
【００９５】
図１５から図１９は、本発明に係るベッドの第３実施形態を示すものである。本実施形態のベッドは、前述した第１実施形態における背ボトムの変形例を示すものであり、下側背ボトム上に上側背ボトムを間接にスライド自在に支持させたものである。
【００９６】
すなわち、本実施形態のベッド１００は、図１５から図１９に示すように、ボトム１０１の背ボトム１０２は、下側背ボトム１０３と、この下側背ボトム１０３上に長手方向にスライド自在に支持される上側背ボトム１２２とを有している。
【００９７】
前記下側背ボトム１０３は、枠状の下本体部１０４を有している（図１９参照）。この下本体部１０４は、頭側ＨＳに配置された幅方向に延在する棒状の前フレーム部１０５と、この前フレーム部１０５の幅方向両端部に接続された長手方向に延在する平面Ｕ字状をなす１対の横フレーム部１０６と、これら横フレーム部１０６を幅方向に沿って接続する２つの断面矩形状をなす棒状の取付フレーム部１０７とを有している。そして、横フレーム部１０６の幅方向のサイズは、前フレーム部１０５の長さのほぼ１／８程度とされており、頭側ＨＳに位置する端部が前フレーム部１０５の脚側端部に接続されている。また、取付フレーム部１０７は、前フレーム部１０５と平行に配置されている。そして、頭側ＨＳに位置する一方の取付フレーム部１０７は、横フレーム部１０６の長手方向の中央部より頭側ＨＳに寄った位置で、その両端部の上面が１対の横フレーム部１０６の対向部位の下面に取り付けられており、脚側ＦＳに位置する他方の取付フレーム部１０７は、横フレーム部１０６の長手方向の中央部より脚側ＦＳに寄った位置で、その両端部の上面が１対の横フレーム部１０６の対向部位の下面に取り付けられている。さらに、前フレーム部１０５および横フレーム部１０６のそれぞれは、断面矩形状とされており、それぞれの上端面同士、および下端面同士は面一に形成されている。さらにまた、取付フレーム部１０７の下面は、後述する上側背ボトム１２２の下面と面一あるいは上側背ボトム１２２の下面より若干上側に位置するように形成されている。そして、取付フレーム部１０７の上面は、上側背ボトム１２２を間接支持する支持面１０４ａとされている。なお、図１５から図１９に示す本実施形態における下側背ボトム１０３の形状は、強度を確保しながら軽量化を図る構成とされており、他の構造としてもよい。
【００９８】
前記２つの取付フレーム部１０７の上面には、前述した３つの引張応力を具備するボトム用弾性体としての引張りばね４０を収容するための３つの収納部材１１１がそれぞれの長手方向を長手方向に向けて設けられている。これら３つの収納部材１１１は、それぞれ長手方向に延在する２枚の保護板１１１ａにより形成されている。各保護板１１１ａは、その厚さ方向を幅方向に向けて相互に平行に配置されている。さらに、保護板１１１ａの頭側ＨＳに位置する一端は、後述する前側壁部１２５の脚側端部と対向するように配置されており、脚側ＦＳに位置する他端は、脚側ＦＳに位置する取付フレーム部１０７の脚側端部の上方に配置されている。そして、相互に対向する２枚の保護板１１１ａの対向面間は、引張りばね４０が収容される収納空間５１とされている。なお、収納部材１１１としては、上部が開口する断面コ字状のものであってもよい。そして、引張りばね４０の一端は、収納部材１１１を構成する２枚の保護板１１１ａの内部頭側端部に取り付けられた弾性体用固定具１１８の脚側端部に着脱自在に取り付けられている。また、引張りばね４０の他端は、収納部材１１１を構成する２枚の保護板１１１ａの内部脚側端部に長手方向に沿ってスライド自在に取り付けられた弾性体用スライド固定具１１９の頭側端部に着脱自在に取り付けられている。そして、弾性体用スライド固定具１１９の脚側端部には、弾性体用スライド固定具１１９を上側背ボトム１２２に連結する連結部材１２０が取り付けられている。この連結部材１２０は、ワイヤ、ロープなどの連結体１２０ａとこの連結体１２０ａの一端に接続された係止用フック１２０ｂとを有している。そして、連結部材１２０の先端部としての連結体１２０ａの自由端部が弾性体用スライド固定具１１９の脚側端部に着脱自在に取り付けられており、連結部材１２０の後端部としての係止用フック１２０ｂが上側背ボトム１２２の脚側端部に着脱自在に取り付けられている。また、引張りばね４０は、上側背ボトム１２２が下側背ボトム１０３に当接して停止するまで２０ｃｍ程度スライドさせ引張りばね４０を伸長させて引張り応力を得る。さらに、３つの引張りばね４０による合計応力は、上側背ボトム１２２のボトム用マット取付具４８が下側背ボトム１０３より頭側ＨＳに１５ｃｍ程度突き出した状態で１５０Ｎ程度としてある。
【００９９】
前記取付フレーム部１０７の上面には、複数、本実施形態においては２組のスライド支持手段１１５が取り付けられている。これらのスライド支持手段１１５は、上側背ボトム１２２を下側背ボトム１０３上に長手方向に沿って直接にスライド自在に支持するためのものであり、３つの引張りばね４０の間に並設されている。本実施形態のスライド支持手段１１５は、２つの取付フレーム部１０７の上面に取り付けられた取付部材としての２つで１組のローラガイド１１６と、これらローラガイド１１６の間に回転自在に支持された複数、本実施形態においては７つのローラ１１７とを有している。また、各ローラ１１７は、その軸線を長手方向に対して直交する幅方向にし、かつ各ローラ１１７のそれぞれの外周面の一部がローラガイド１１６の上側背ボトム１２２側の端部としての上面より上側背ボトム１２２側である上方に突出するようにして取り付けられており、これらの突出部位、すなわち各ローラ１１７の上端面は、上側背ボトム１２２のスライド面１２３ａに下方から当接するように形成されている。なお、ローラ１１７としては、前述した滑りの良い樹脂により形成されたものを用いることができる。また。ローラ１１７の替わりに軸受を用いることもできる。
【０１００】
前記上側背ボトム１２２は、平板状の上本体部１２３を有している。この上本体部１２３の下面は、スライド支持手段１１５のローラ１１７に対して直接に、下側背ボトム１０３に対しては間接にスライド自在に支持されたスライド面１２３ａとされている。また、上本体部１２３の下面の頭側端部には、下方に向けて突出する前側壁部１２５が立設されている。さらに、上本体部１２３の下面の幅方向の両端部には、それぞれ下方に向けて突出する横側壁部１２６が立設されており、これら横側壁部１２６の相互に対向する内側側面の下端部には、それぞれ上面がガイド溝１２７とされた平板状の内側張出部１２８が設けられており、これらのガイド溝１２７には、横フレーム１６の幅方向端部が嵌合されている。そして、前側壁部１２５の下面と、横側壁部１２６の下面とは面一にされている。また、上本体部１２３の下面と下本体部１０４の上面との間には、隙間１３０が設けられており、この隙間１３０に、前述したスライド支持手段１１５が配設されている。そして、各ローラ１１７の上端面は、上本体部１２３、ひいては上側背ボトム１２２のスライド面１２３ａに下方から当接するように形成されている。
【０１０１】
なお、スライド支持手段１１５を上本体部１２３の下面に設ける構成とすることができる。この場合、下本体部１０４の上面のうちのスライド支持手段１１５と対向する部位を平坦面とし、スライド支持手段１１５のローラガイド１１６を上本体部１２３の下面に取り付けて、各ローラ１１７の下端部をローラガイド１１６の下面より下方に突出させ、この突出部位である各ローラ１１７の下端面を、下本体部１０４の平坦面からなる上側背ボトム１２２のスライド面１２３ａに上方から当接するように形成することになる。また、スライド支持手段１１５は、支持面１０４ａとスライド面１２３ａとの両面に設けることができる。すなわち、スライド支持手段１１５は、下側背ボトム１０３の支持面１０４ａと、上側背ボトム１２２のスライド面１２３ａとのうちの少なくとも一方に設ければよい。さらに、スライド支持手段１１５としては、周知の各種の直動機構を用いることもできる。
【０１０２】
その他の構成については、前述した第１実施形態のベッド１と同様とされているので、図面中の要部に同一の符号を付し、その詳しい説明については省略する。また、同一図面中にある複数の同一部材については、一部にのみ符号を付してある。
【０１０３】
このような構成からなる本実施形態のベッド１００によれば、前述した第１実施形態のベッド１と同様の効果を奏することができるとともに、スライド支持手段１１５により、下側背ボトム１０３に対して上側背ボトム１２２を円滑にスライド移動させることができる。
【０１０４】
また、本実施形態のベッド１００によれば、スライド支持手段１１５が支持面１０４ａとスライド面１２３ａとの間に設けられた隙間１３０に配置されているから、下側背ボトム１０３と上側背ボトム１２２との間にスライド支持手段１１５を容易に配置することができる。
【０１０５】
さらに、本実施形態のベッド１００によれば、下側背ボトム１０３に設けられた支持面１０４ａに、引張りばね４０を収容するための収納部材１１１がその長手方向をベッド１００の長手方向に向けて設けられており、引張りばね４０一端は、収納部材１１１の内部頭側端部に取り付けられた弾性体用固定具１１８の脚側端部に着脱自在に取り付けられており、他端は、収納部材１１１の内部脚側端部にベッド１００の長手方向に沿ってスライド自在に取り付けられた弾性体用スライド固定具１１９の頭側端部に着脱自在に取り付けられており、弾性体用スライド固定具１１９の脚側端部には、後端部が上側背ボトム１２２の脚側端部に着脱自在に取り付けられた連結部材１２０の先端部が着脱自在に取り付けられている構成とされているから、下側背ボトム１０３と上側背ボトム１２２との内側に引張りばね４０を配置することができるし、下側背ボトム１０３に対して上側背ボトム１２２をスライド自在に取り付けることができる。
【０１０６】
さらにまた、本実施形態のベッド１００によれば、スライド支持手段１１５が複数のローラ１１７と、これら複数のローラ１１７のそれぞれをその軸線方向の両側から回転自在に支持するための１対の支持部材とを有しているから、スライド時に複数のローラ１１７が回転するので、複数のローラ１１７のそれぞれがスライド面１２３ａに転がり接触するので、下側背ボトム１０３に対して上側背ボトム１２２を円滑かつ容易にスライド移動させることができるし、下側背ボトム１０３に対して上側背ボトム１２２をより円滑に支持することができる。
【０１０７】
さらに、本実施形態のベッド１００によれば、スライド時において、複数のローラ１１７のそれぞれがスライド面１２３ａに転がり接触するので、前述した第１実施形態のベッド１におけるスライド面４５ａが支持面に３５ａに面接触して摺動する構成に比べて、摺動抵抗を小さくすることができるので、マットレス６を頭側先端より約１５ｃｍの位置で頭側ＨＳに引っ張る引張りばね４０の応力を、例えば１５０Ｎ程度に小さくすることができる。
【０１０８】
図２０および図２１は、本発明に係るベッドの第４実施形態を示すものである。本実施形態のベッドは、前述した第１実施形態におけるボトムの座ボトムおよび膝ボトムの変形例を示すものである。
【０１０９】
すなわち、本実施形態のベッド１４０は、図２０および図２１に示すように、ボトム１４１の座ボトム１４２および膝ボトム１４４は、それぞれ長手方向に沿って２分割されている。
【０１１０】
前記座ボトム１４２は、頭側端部が背ボトム１１に連結される固定座ボトム１４２ａと、脚側端部が膝ボトム１４４に連結される可動座ボトム１４２ｂとに分割されている。そして、可動座ボトム１４２ｂは、固定座ボトム１４２ａに対して入れ子とされており、固定座ボトム１４２ａに対して長手方向に沿って、例えば１０ｃｍ程度スライド自在に支持されている。また、ベッドフレーム４の側端部には、固定座ボトム１４２ａを取り付けるための固定具としての座取付具１４２ｃと、可動座ボトム１４２ｂを長手方向に沿ってスライド自在に取り付けるための固定具としての座調節取付具１４２ｄとが設けられている。
【０１１１】
前記膝ボトム１４４は、頭側端部が座ボトム１４２の可動座ボトム１４２ｂに屈折自在に連結される固定膝ボトム１４４ａと、脚側端部が脚ボトム１４に屈折自在に連結される可動膝ボトム１４４ｂとに分割されている。そして、可動膝ボトム１４４ｂは、固定膝ボトム、１４４ａに対して入れ子とされており、固定膝ボトム１４４ａに対して長手方向に沿って例えば１０ｃｍ程度スライド自在に支持されている。なお、膝上げ機構２３は、固定膝ボトム１４４ａに接続されている。また、本実施形態の座ボトム１４２および膝ボトム１４４は、前述した第２実施形態のベッド６１および第３実施形態のベッド１４０に用いることができる。
【０１１２】
前記座ボトム１４２および膝ボトム１４４の材料としては、前述した滑りの良い樹脂を用いることがスライド移動を容易に行いことができるという意味で好ましい。
【０１１３】
その他の構成については、前述した第１実施形態のベッド１と同様とされているので、図面中の要部に同一の符号を付し、その詳しい説明については省略する。また、同一図面中にある複数の同一部材については、一部にのみ符号を付してある。
【０１１４】
このような構成からなる本実施形態のベッド１４０によれば、前述した第１実施形態のベッド１と同様の効果を奏することができるとともに、背上げ動作および膝上げ動作を行った際に、固定座ボトム１４２ａに対して可動座ボトム１４２ｂを長手方向に沿って無段階にスライド移動させることができるとともに、固定膝ボトム１４４ａに対して可動膝ボトム１４４ｂを長手方向に沿って無段階にスライド移動させることができるし、さらに、可動座ボトム１４２ｂと固定膝ボトム１４４ａとがボトム取付具１６および第２支軸２１により揺動可能に連結されているから、使用者の体形によって異なる臀部と大腿部に適正に合うように調節することができるから、背上げ動作および膝上げ動作を行った際に、臀部の小さい使用者においては臀部がマットレス上で脚側にずれ落ちるという不都合を容易かつ確実に防止することができるし、臀部の大きい使用者においては臀部がマトレスの膝ボトム１４４の上方に位置する部位に乗り上げて前ずれが生じるという不都合を容易かつ確実に防止することができる。
【０１１５】
また、本実施形態のベッド１４０によれば、座ボトム１４２は、固定座ボトム１４２ａに対して可動座ボトム１４２ｂが入れ子とされており、膝ボトム１４４は、固定膝ボトム１４４ａに対して可動膝ボトム１４４ｂが入れ子とされているから、固定座ボトム１４２ａに対する可動座ボトム１４２ｂのスライド移動および固定膝ボトム１４４ａに対する可動膝ボトム１４４ｂのスライド移動のそれぞれを円滑かつ容易に行うことができる。
【０１１６】
なお、本発明は、前述した各実施形態に限定されるものではなく、必要に応じて種々の変更が可能である。
【符号の説明】
【０１１７】
１、６１、１００、１４０  ベッド
５、６３、１０１、１４１  ボトム
６、８０  マットレス
１１、６５、１０２  背ボトム
１２、１４２  座ボトム
１３、１４４  膝ボトム
１９  背上げ機構
２３  膝上げ機構
２７  コントローラ
２７ａ  自動背上げ釦
２７ｂ  寝る釦
３０  制御部
３１、１０３  下側ボトム
３２、１２２  上側ボトム
３５、１０４  下本体部
３５ａ、１０４ａ  支持面
３８、１２７  ガイド溝
３９  下側凹部
４０  引張りばね
４３  仮止めフック
４５、１２３  上本体部
４５ａ、１２３ａ  スライド面
４６  張出部
４７  上側凹部
４８  ボトム用マット取付具
５０、７５  マット制御手段
５１  収納空間
５２  ボトム用付勢手段
５５  マット用マット取付具
６７  ガイド部材
６９  弾性体取付部
６９ａ  第１弾性体取付部
６９ｂ  第２弾性体取付部
７６  マット用付勢手段
７８  マット用弾性体
７８ａ  センター用弾性体
７８ｂ  サイド用弾性体
９１  弾性体接続具
１１１  収納部材
１１５  スライド支持手段
１１６  ローラガイド
１１７  ローラ
１１８  弾性体用固定具
１１９  弾性体用スライド固定具
１２０  連結部材
１２８  内側張出部
１３０  隙間
１４２ａ  固定座ボトム
１４２ｂ  可動座ボトム
１４４ａ  固定膝ボトム
１４４ｂ  可動膝ボトム
ＨＳ  頭側ＨＳ
ＦＳ  脚側ＦＳ
【図１】
2017000701.tif 000003
【図２】
2017000701.tif 000004
【図３】
2017000701.tif 000005
【図４】
2017000701.tif 000006
【図５】
2017000701.tif 000007
【図６】
2017000701.tif 000008
【図７】
2017000701.tif 000009
【図８】
2017000701.tif 000010
【図９】
2017000701.tif 000011
【図１０】
2017000701.tif 000012
【図１１】
2017000701.tif 000013
【図１２】
2017000701.tif 000014
【図１３】
2017000701.tif 000015
【図１４】
2017000701.tif 000016
【図１５】
2017000701.tif 000017
【図１６】
2017000701.tif 000018
【図１７】
2017000701.tif 000019
【図１８】
2017000701.tif 000020
【図１９】
2017000701.tif 000021
【図２０】
2017000701.tif 000022
【図２１】
2017000701.tif 000023